【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
内部時刻を計時する計時部と、
前記内部時刻に基づく表示時刻を表示する表示部と、
衛星から送信される衛星信号を受信して、受信結果に基づいて位置情報と基準時刻に応じた衛星時刻情報とを出力する受信部と、
前記表示時刻を前記衛星時刻情報と修正情報とに基づいて修正する第１修正部と、
前記基準時刻との時差を示すタイムゾーン情報を地域ごとに記憶する第１記憶部と、
利用者の操作に応じた操作信号を出力する操作部と、
前記操作信号に基づいて前記表示時刻を修正し、且つ、前記基準時刻と修正された前記表示時刻との時差を示す時差情報を生成する第２修正部と、
前記位置情報が属する前記地域と前記時差情報とを対応づけて記憶する第２記憶部と、
前記受信部から出力された前記位置情報が前記第２記憶部に記憶された前記時差情報に対応する地域に属するか否かを判定する処理と、当該地域に属する場合は前記時差情報を前記修正情報として前記第１修正部に供給する処理と、当該地域に属しない場合は前記第１記憶部を参照して前記位置情報が属する地域に対応した前記タイムゾーン情報を前記修正情報として前記第１修正部に供給する処理とを実行する制御部と、
を備えることを特徴とする電子機器。
【請求項２】
前記制御部は、前記修正情報として供給された前記時差情報を用いて前記第１修正部によって修正された前記表示時刻が、前記第２修正部によって修正されなかった回数を計数し、前記回数が所定数に達すると、前記第１記憶部の前記タイムゾーン情報を前記時差情報に書き換える、
ことを特徴とする請求項１に記載の電子機器。
【請求項３】
前記表示部は、サマータイムに該当するか否かを表示し、
前記第１記憶部は、サマータイムの期間を指定するサマータイム情報を前記地域ごとに記憶し、
前記第２修正部は、前記操作信号に基づいて前記表示部に表示されるサマータイムに該当するか否かの表示を修正し、且つ、修正した日時を示す修正サマータイム情報を生成し、
前記制御部は、
利用者が前記操作部を操作して、前記表示部に表示された前記サマータイムに該当するか否かを修正した場合には、前記修正サマータイム情報を前記位置情報が属する前記地域に対応づけて前記第２記憶部に記憶させる処理を実行し、
前記受信部から出力された前記位置情報が前記第２記憶部に記憶された前記時差情報に対応する地域に属するか否かを判定する処理と、当該地域に属する場合は前記時差情報に前記修正サマータイム情報を反映させた情報を前記修正情報として前記第１修正部に供給する処理と、当該地域に属しない場合は前記第１記憶部を参照して前記位置情報が属する地域に対応した前記タイムゾーン情報に前記サマータイム情報を反映させた情報を前記修正情報として前記第１修正部に供給する処理とを実行する、
ことを特徴とする請求項１又は２に記載の電子機器。
【請求項４】
内部時刻を計時する計時部と、
前記内部時刻に基づく表示時刻を表示する表示部と、
衛星から送信される衛星信号を受信して、受信結果に基づいて位置情報と基準時刻に応じた衛星時刻情報とを出力する受信部と、
前記表示時刻を前記衛星時刻情報と修正情報とに基づいて修正する第１修正部と、
前記基準時刻との時差を示すタイムゾーン情報を地域ごとに記憶する第１記憶部と、
利用者の操作に応じた操作信号を出力する操作部と、
前記操作信号に基づいて前記表示時刻を修正し、且つ、前記基準時刻と修正された前記表示時刻との時差を示す時差情報を生成する第２修正部と、
前記時差情報を前記位置情報と対応づけて記憶する第２記憶部と、
前記受信部から出力された前記位置情報と前記第２記憶部に記憶された位置情報との距離を算出する処理と、当該距離が所定距離以下であるか否かを判定する処理と、前記所定距離以下である場合は前記時差情報を前記修正情報として前記第１修正部に供給する処理と、前記所定距離を超える場合は前記タイムゾーン情報を前記修正情報として前記第１修正部に供給する処理とを実行する制御部と、
を備えることを特徴とする電子機器。
【請求項５】
前記制御部は、前記修正情報として供給された前記時差情報を用いて前記第１修正部によって修正された前記表示時刻が、前記第２修正部に修正されなかった回数を計数し、前記回数が所定数に達すると、前記第１記憶部の前記タイムゾーン情報を前記時差情報に書き換える、
ことを特徴とする請求項４に記載の電子機器。
【請求項６】
前記表示部は、サマータイムに該当するか否かを表示し、
前記第１記憶部は、地域ごとにサマータイムの期間を指定するサマータイム情報とを記憶し、
前記第２修正部は、前記操作信号に基づいて前記表示部に表示されるサマータイムに該当するか否かの表示を修正し、且つ、修正した日時を示す修正サマータイム情報を生成し、
前記制御部は、利用者が前記操作部を操作して、前記表示部に表示された前記サマータイムに該当するか否かを修正した場合には、前記修正サマータイム情報を前記位置情報と対応づけて前記第２記憶部に記憶させる処理を実行し、
前記受信部から出力された前記位置情報と前記第２記憶部に記憶された位置情報との距離を算出する処理と、当該距離が所定距離以下であるか否かを判定する処理と、前記所定距離以下である場合は、前記時差情報に前記修正サマータイム情報を反映させた情報を前記修正情報として前記第１修正部に供給する処理と、前記所定距離を超える場合は前記タイムゾーン情報に前記サマータイム情報を反映させた情報を前記修正情報として前記第１修正部に供給する処理とを実行する、
ことを特徴とする請求項４又は５に記載の電子機器。
【請求項７】
前記第２修正部は、前記位置情報が出力されてから所定時間が経過する前に前記操作信号に基づいて前記表示時刻が修正された場合に、前記時差情報を生成することを特徴とする請求項１乃至６のうちいずれか１項に記載の電子機器。
【請求項８】
前記第１記憶部は、前記タイムゾーン情報を緯度と経度で分割された地域ごとに記憶することを特徴とする請求項１乃至７のうちいずれか1項に記載の電子機器。
【手続補正２】
【補正対象書類名】明細書
【補正対象項目名】０００８
【補正方法】変更
【補正の内容】
【０００８】
以上の課題を解決するため、本発明の第１の態様に係る電子機器は、内部時刻を計時する計時部と、前記内部時刻に基づく表示時刻を表示する表示部と、衛星から送信される衛星信号を受信して、受信結果に基づいて位置情報と基準時刻に応じた衛星時刻情報とを出力する受信部と、前記表示時刻を前記衛星時刻情報と修正情報とに基づいて修正する第１修正部と、前記基準時刻との時差を示すタイムゾーン情報を地域ごとに記憶する第１記憶部と、利用者の操作に応じた操作信号を出力する操作部と、前記操作信号に基づいて前記表示時刻を修正し、且つ、前記基準時刻と修正された前記表示時刻との時差を示す時差情報を生成する第２修正部と、前記位置情報が属する前記地域と前記時差情報とを対応づけて記憶する第２記憶部と、前記受信部から出力された前記位置情報が前記第２記憶部に記憶された前記時差情報に対応する地域に属するか否かを判定する処理と、当該地域に属する場合は前記時差情報を前記修正情報として前記第１修正部に供給する処理と、当該地域に属しない場合は前記第１記憶部を参照して前記位置情報が属する地域に対応した前記タイムゾーン情報を前記修正情報として前記第１修正部に供給する処理とを実行する制御部と、を備えることを特徴とする。
【手続補正３】
【補正対象書類名】明細書
【補正対象項目名】００１０
【補正方法】変更
【補正の内容】
【００１０】
第１の態様に係る電子機器において、前記制御部は、前記修正情報として供給された前記時差情報を用いて前記第１修正部によって修正された前記表示時刻が、前記第２修正部によって修正されなかった回数を計数し、前記回数が所定数に達すると、前記第１記憶部の前記タイムゾーン情報を前記時差情報に書き換えるようにしてもよい。タイムゾーン情報として第１記憶部に書き込まれた時差情報を第２記憶部に記憶させておく必要はないから、この形態によれば、第２記憶部に要求される記憶容量を少なく抑制することができる。また、この形態では、計数される回数は、手動修正が行われなかった回数、すなわち利用者に肯定された回数（肯定数）であるから、信頼性の高い時差情報のみがタイムゾーン情報として第１記憶部に書き込まれることになる。したがって、時差情報が生成される度にタイムゾーン情報を書き換える形態に比較して、タイムゾーン情報を書き換える回数を削減することができる。これは、複数のタイムゾーン情報を圧縮して得られる１つの圧縮データを第１記憶部に記憶させる形態を採る場合に有利である。
【手続補正４】
【補正対象書類名】明細書
【補正対象項目名】００１１
【補正方法】変更
【補正の内容】
【００１１】
さらに、前記表示部は、サマータイムに該当するか否かを表示し、前記第１記憶部は、サマータイムの期間を指定するサマータイム情報を前記地域ごとに記憶し、前記第２修正部は、前記操作信号に基づいて前記表示部に表示されるサマータイムに該当するか否かの表示を修正し、且つ、修正した日時を示す修正サマータイム情報を生成し、前記制御部は、利用者が前記操作部を操作して、前記表示部に表示された前記サマータイムに該当するか否かを修正した場合には、前記修正サマータイム情報を前記位置情報が属する前記地域に対応づけて前記第２記憶部に記憶させる処理を実行し、前記受信部から出力された前記位置情報が前記第２記憶部に記憶された前記時差情報に対応する地域に属するか否かを判定する処理と、当該地域に属する場合は前記時差情報に前記修正サマータイム情報を反映させた情報を前記修正情報として前記第１修正部に供給する処理と、当該地域に属しない場合は前記第１記憶部を参照して前記位置情報が属する地域に対応した前記タイムゾーン情報に前記サマータイム情報を反映させた情報を前記修正情報として前記第１修正部に供給する処理とを実行するようにしてもよい。
【手続補正５】
【補正対象書類名】明細書
【補正対象項目名】００１３
【補正方法】変更
【補正の内容】
【００１３】
また、本発明の第２の態様に係る電子機器は、内部時刻を計時する計時部と、前記内部時刻に基づく表示時刻を表示する表示部と、衛星から送信される衛星信号を受信して、受信結果に基づいて位置情報と基準時刻に応じた衛星時刻情報とを出力する受信部と、前記表示時刻を前記衛星時刻情報と修正情報とに基づいて修正する第１修正部と、前記基準時刻との時差を示すタイムゾーン情報を地域ごとに記憶する第１記憶部と、利用者の操作に応じた操作信号を出力する操作部と、前記操作信号に基づいて前記表示時刻を修正し、且つ、前記基準時刻と修正された前記表示時刻との時差を示す時差情報を生成する第２修正部と、前記時差情報を前記位置情報と対応づけて記憶する第２記憶部と、前記受信部から出力された前記位置情報と前記第２記憶部に記憶された位置情報との距離を算出する処理と、当該距離が所定距離以下であるか否かを判定する処理と、前記所定距離以下である場合は前記時差情報を前記修正情報として前記第１修正部に供給する処理と、前記所定距離を超える場合は前記タイムゾーン情報を前記修正情報として前記第１修正部に供給する処理とを実行する制御部と、を備えることを特徴とする。
【手続補正６】
【補正対象書類名】明細書
【補正対象項目名】００１５
【補正方法】変更
【補正の内容】
【００１５】
第２の態様に係る電子機器において、前記制御部は、前記修正情報として供給された前記時差情報を用いて前記第１修正部によって修正された前記表示時刻が、前記第２修正部に修正されなかった回数を計数し、前記回数が所定数に達すると、前記第１記憶部の前記タイムゾーン情報を前記時差情報に書き換えるようにしてもよい。タイムゾーン情報として第１記憶部に書き込まれた時差情報を第２記憶部に記憶させておく必要はないから、この形態によれば、第２記憶部に要求される記憶容量を少なく抑制することができる。また、この形態では、計数される回数は、手動修正が行われなかった回数、すなわち利用者に肯定された回数（肯定数）であるから、信頼性の高い時差情報のみがタイムゾーン情報として第１記憶部に書き込まれることになる。したがって、時差情報が生成される度にタイムゾーン情報を書き換える形態に比較して、タイムゾーン情報を書き換える回数を削減することができる。これは、複数のタイムゾーン情報を圧縮して得られる１つの圧縮データを第１記憶部に記憶させる形態を採る場合に有利である。
【手続補正７】
【補正対象書類名】明細書
【補正対象項目名】００１６
【補正方法】変更
【補正の内容】
【００１６】
さらに、前記表示部は、サマータイムに該当するか否かを表示し、前記第１記憶部は、地域ごとにサマータイムの期間を指定するサマータイム情報とを記憶し、前記第２修正部は、前記操作信号に基づいて前記表示部に表示されるサマータイムに該当するか否かの表示を修正し、且つ、修正した日時を示す修正サマータイム情報を生成し、前記制御部は、利用者が前記操作部を操作して、前記表示部に表示された前記サマータイムに該当するか否かを修正した場合には、前記修正サマータイム情報を前記位置情報と対応づけて前記第２記憶部に記憶させる処理を実行し、前記受信部から出力された前記位置情報と前記第２記憶部に記憶された位置情報との距離を算出する処理と、当該距離が所定距離以下であるか否かを判定する処理と、前記所定距離以下である場合は、前記時差情報に前記修正サマータイム情報を反映させた情報を前記修正情報として前記第１修正部に供給する処理と、前記所定距離を超える場合は前記タイムゾーン情報に前記サマータイム情報を反映させた情報を前記修正情報として前記第１修正部に供給する処理とを実行するようにしてもよい。